【事件の表示】
　特願２０１４−５０１２２１「拡張現実感データセンター視覚化」拒絶査定不服審判事件〔平成２４年　９月２７日国際公開、ＷＯ２０１２／１２９３５４、平成２６年　７月２４日国内公表、特表２０１４−５１７９４４、請求項の数（１１）〕について、次のとおり審決する。
【結　論】
　原査定を取り消す。
　本願の発明は、特許すべきものとする。
【理　由】
第１　手続の経緯
　本願は、２０１２年３月２２日（パリ条約による優先権主張外国庁受理２０１１年３月２２日、米国、２０１２年３月２１日、米国）を国際出願日とする出願であって、平成２８年３月３日付けで拒絶理由通知がされ、平成２８年５月１９日付けで手続補正がされ、、平成２８年６月２０日付けで最後の拒絶理由通知がされ、平成２８年９月１６日付けで手続補正がされ、平成２８年１２月２７日付けで平成２８年９月１６日付けの手続補正が却下されるとともに拒絶査定（原査定）がされ、これに対し、平成２９年３月１０日に拒絶査定不服審判の請求がされると同時に手続補正がされたものである。
第２　平成２８年１２月２７日付けの補正の却下の決定及び原査定の概要
１．平成２８年１２月２７日付けの補正の却下の決定の概要は以下のとおりである。
　平成２８年９月１６日付けの補正は、特許請求の範囲の限定的減縮を目的とするものであるが、当該補正後の本願請求項１−１１に係る発明は、引用文献１−３に基づいて、その発明の属する技術の分野における通常の知識を有する者（以下、「当業者」という。）が容易に発明できたものであり、独立特許要件を満たさないから、平成２８年９月１６日付けの補正は却下すべきものである。
引用文献等一覧
　１．石井　裕剛，“プラント保守作業支援”，情報処理，社団法人情報処理学会，２０１０年４月１５日，Ｖｏｌ．５１，Ｎｏ．４，ｐ．３９２−３９７
　２．“ＢＭＷ　ａｕｇｕｍｅｎｔｅｄ　ｒｅａｌｉｔｙ”，２００７年１０月３日，ＵＲＬ：ｈｔｔｐｓ：／／ｗｗｗ．ｙｏｕｔｕｂｅ．ｃｏｍ／ｗａｔｃｈ？ｖ＝Ｐ９ＫＰＪＩＡ５ｙｄｓ
　３．特開２０１０−２１１６２３号公報
２．原査定（平成２８年１２月２７日付け拒絶査定）の概要は次のとおりである。
　本願請求項１−１１に係る発明は、上記引用文献１、２に基づいて、当業者が容易に発明できたものであるから、特許法第２９条第２項の規定により特許を受けることができない。
第３　本願発明
　本願請求項１−１１に係る発明（以下、それぞれ「本願発明１」−「本願発明１１」という。）は、平成２９年３月１０日付けの手続補正で補正された特許請求の範囲の請求項１−１１に記載された事項により特定される発明であり、本願発明１は以下のとおりの発明である。
「　　【請求項１】
　装置を目的地にインストールするための方法であって、
　（ａ）携帯型デバイスを技術者に提供するステップであって、前記携帯型デバイスは、ディスプレイとカメラを備え、少なくとも幾つかのコンピュータ生成データと組み合わされた前記カメラのビューの実時間視覚描写を提供する拡張現実ビューを表示するように構成されたステップと、
　（ｂ）前記携帯型デバイスで通知を受信するステップであって、前記通知は前記技術者に未解決の作業命令を通知するものであるステップと、
　（ｃ）前記技術者の開始位置を決定するステップと、
　（ｄ）前記装置の位置と前記拡張現実ビューに到達するために前記技術者が取るべき第１の経路を表示する第１のマップ・ビューを提供することによって前記技術者を前記開始位置から装置の位置へと誘導するステップであって、前記第１のマップ・ビューと前記拡張現実ビューは前記ディスプレイに同時に提供されるステップと、
　（ｅ）前記技術者が前記装置の位置に到達し、前記装置を前記カメラのビューの中にあるようにさせた後、前記拡張現実ビュー上の前記コンピュータ生成データとして、前記装置を識別する第１の視覚インジケータを提供するステップと、
　（ｆ）前記装置を収集するステップと、
　（ｇ）前記目的地と前記拡張現実ビューに到達するために前記技術者が取るべき第２の経路を表示する第２のマップ・ビューを提供することによって前記技術者を前記装置の位置から前記目的地へと誘導するステップであって、前記第２のマップ・ビューと前記拡張現実ビューは前記ディスプレイに同時に提供されるステップと、
　（ｈ）前記技術者が前記目的地に到達し、インストール位置を前記カメラのビューの中にあるようにさせた後、前記拡張現実ビュー上の前記コンピュータ生成データとして、前記インストール位置を識別する第２の視覚インジケータを提供するステップであって、前記第２の視覚インジケータは、前記装置をどの順にインストールすべきかを示すステップと、
　（ｉ）前記装置を前記インストール位置にインストールするステップと、
　を含み、
　前記ステップ（ｄ）と（ｇ）の両方の間に提供された前記拡張現実ビューは、１つまたは複数のガイド・マーカを前記コンピュータ生成データとして含む、
　方法。」
　本願発明２−１１は、概略、本願発明１を減縮した発明である。
第４　引用文献、引用発明等
１．引用文献１について
　原査定の拒絶の理由に引用された引用文献１には、図面とともに以下の事項が記載されている（下線は当審付与。以下同様。）。
（１）　３９２ページ右欄下から５行目−３９３ページ右欄２０行
「−−−現実世界の位置や方向を示す−−−
　拡張現実感を用いて操作対象の機器の位置や操作方法を提示することにより，従来の紙のマニュアルを用いる場合に比べて，短時間かつ確実に作業を遂行できるようになる．
　たとえば，図−２に示すような機器のレバーを上げる操作を行う作業を考える．従来の紙のマニュアルを参照する方法では，保守作業員がマニュアルに書かれた内容を理解したとしても，実際に操作を行うためには，マニュアルに書かれた機器が，プラント内のどこにあるのかを探す必要がある．この場合，保守作業員は操作対象のレバーを特定するために，マニュアルに書かれた内容を記憶するか，もしくはマニュアルと実際の機器の間の視線移動を繰り返す必要があり，時間がかかると同時に間違いも起こりやすい．一方，拡張現実感を用いて，文字や矢印などの情報を，操作対象となるレバーの上に重畳表示すれば，保守作業員は，煩雑な探索作業を行うことなしに目的のレバーを見つけることが可能になる．
　また，保守作業員の眼前に操作対象の機器がない場合でも，現在の保守作業員の位置と方向に応じて，拡張現実感を用いて進むべき方向を示すことができれば，地図を見ながら自分が今どこにいてどちら方向を向いているかを考える必要がなくなるため，短時間かつ確実に操作対象の機器のある場所まで移動できるようになる．
　
拡張現実感を用いて保守作業員をナビゲーションする
系統隔離作業を支援する
系統隔離作業は，保守作業対象となる機器施設等をプラントの全体系統から隔離する作業であり
保守作業員は，作業指示書に従って，バルブを正しい順番に見つけ出して操作する必要があ
具体的には，（１）隔離の対象となる機器の付近へ移動し，（２）バルブについている銘板に記載された識別ＩＤをもとに操作対象となるバルブを見つけ出し，（３）バルブを操作する，という一連の作業を繰り返す
ＨＭＤを装着した作業員に対して拡張現実感により作業対象のバルブの位置を示すことで，系統隔離作業を支援
本システムを装着した保守作業員は，ＨＭＤを介して
ような映像を見ることができ，多数のバルブの中から操作対象のバルブを容易に探し出すことができ
ＲＦＩＤセンサも備えており，バルブに貼付されているＲＦＩＤタグをスキャンすることにより，特定したバルブが正しいものであることを再確認する
（２）　図−３（３９３ページ）
　図−３（「配管系統隔離支援システムの試作例」）には、「
Ｖｉｄｅｏ　Ｓｅｅ　Ｔｈｒｏｕｇｈ型ＨＭＤとカメラ
（３）　図−４（３９４ページ）
　図−４（「
保守作業員に提示される映像
視界内に操作対象バルブがない場合、三角によるバルブ方向の指示を行い、視界内に操作対象バルブがある場合、円によるバルブ位置の指示を行う
（４）　３９３ページ右欄２１行−３９４ページ左欄３４行
「−−−現実世界と仮想世界を比較する−−−
　拡張現実感の「現実世界と仮想世界の間の対応を直感的に示すことができる」という特徴は，「現実世界と仮想世界の間の異なっている個所を見つけやすくできる」という特徴でもある．この特徴を利用すれば，現実世界をモデル化した３次元ＣＡＤデータと現実世界の間の異なっている個所をユーザに見つけてもらい，その違いを修正してもらうことが容易になる．
　
運転を終了した原子力発電プラントは，解体する必要がある
　図−５に示すのは，
拡張現実感を応用した解体作業支援システム
作業員はビデオカメラが接続された小型タブレットを作業現場に携帯する
　したがって、関連図面と技術常識に照らし、引用文献１には、次の発明（以下、「引用発明」という。）が記載されていると認められる。
「拡張現実感を用いて保守作業員をナビゲーションする，系統隔離作業を支援する方法であって、
　系統隔離作業は，保守作業対象となる機器施設等をプラントの全体系統から隔離する作業であり，
　保守作業員は，作業指示書に従って，バルブを正しい順番に見つけ出して操作する必要があり、具体的には，
（１）隔離の対象となる機器の付近へ移動し，
（２）バルブについている銘板に記載された識別ＩＤをもとに操作対象となるバルブを見つけ出し，
（３）バルブを操作する，
という一連の作業を繰り返すために、
　Ｖｉｄｅｏ　Ｓｅｅ　Ｔｈｒｏｕｇｈ型ＨＭＤとカメラを装着した作業員に対して拡張現実感により作業対象のバルブの位置を示すことで，系統隔離作業を支援し、
　本システムを装着した保守作業員は，ＨＭＤを介して、
視界内に操作対象バルブがない場合、三角によるバルブ方向の指示を行い、
視界内に操作対象バルブがある場合、円によるバルブ位置の指示を行う、
ような映像を見ることができ，
　多数のバルブの中から操作対象のバルブを容易に探し出すことができ、
　ＲＦＩＤセンサも備えており，バルブに貼付されているＲＦＩＤタグをスキャンすることにより，特定したバルブが正しいものであることを再確認する、
　拡張現実感を用いて保守作業員をナビゲーションする，系統隔離作業を支援する方法。」
２．引用文献２について
　原査定の拒絶の理由に引用された上記引用文献２の動画には、ＶＲグラス上に自動車の部品交換のインストール手順が表示されるという技術的事項が開示されていると認められる。
３．引用文献３について
　原査定の拒絶の理由に引用された上記引用文献３には、要約、請求項１の記載を参照すると、部品の組立て作業において、ヘッドマウントディスプレイに次に実施すべき工程を表示し、作業者が手に取ったものが適切部品か否かを判断して、適切部品でない場合に警告表示し、適切ならば作業工程を表示する、という技術的事項が記載されていると認められる。
第５　対比・判断
１．本願発明１について
（１）　対比
　本願発明１と引用発明とを対比すると、次のことがいえる。
ア．引用発明の「作業対象のバルブ」は、本願発明１の「装置」に対応する。
　引用発明の「拡張現実感を用いて保守作業員をナビゲーションする，系統隔離作業を支援する方法であって、系統隔離作業は，保守作業対象となる機器施設等をプラントの全体系統から隔離する作業であり」、「Ｖｉｄｅｏ　Ｓｅｅ　Ｔｈｒｏｕｇｈ型ＨＭＤとカメラを装着した作業員に対して拡張現実感により作業対象のバルブの位置を示すことで，系統隔離作業を支援」する方法は、本願発明１の「装置を目的地にインストールするための方法」と、「装置を保守するための方法」である点で共通するといえる。
イ．ステップ（ａ）について
　引用発明の「作業員」は、本願発明１の「技術者」に相当する。
　引用発明における用語「Ｖｉｄｅｏ　Ｓｅｅ　Ｔｈｒｏｕｇｈ型ＨＭＤ」は、コンピュータが生成した画像とカメラ画像とを実時間で合成して、ディスプレイ上に表示する、携帯型デバイスを意味することが明らかであるといえる。
　よって、引用発明の「Ｖｉｄｅｏ　Ｓｅｅ　Ｔｈｒｏｕｇｈ型ＨＭＤとカメラを装着した作業員に対して拡張現実感により作業対象のバルブの位置を示すことで，系統隔離作業を支援」するステップは、本願発明１の「（ａ）携帯型デバイスを技術者に提供するステップであって、前記携帯型デバイスは、ディスプレイとカメラを備え、少なくとも幾つかのコンピュータ生成データと組み合わされた前記カメラのビューの実時間視覚描写を提供する拡張現実ビューを表示するように構成されたステップ」に相当するといえる。
ウ　ステップ（ｄ）について
　引用発明の「バルブ方向の指示」は、その指示する方向に従って進むことによって「視界内に操作対象バルブがある場合、円によるバルブ位置の指示を行う」ようになるのであるから、「前記装置の位置と前記拡張現実ビューに到達するため」の指示であるといえる。
　また、引用発明の「三角によるバルブ方向の指示を行」うことは、本願発明１の「前記技術者が取るべき第１の経路を表示する第１のマップ・ビューを提供すること」と、「前記技術者が進むべき方向を表示するビューを提供すること」である点で共通するといえる。
　よって、引用発明の「本システムを装着した保守作業員は，ＨＭＤを介して、視界内に操作対象バルブが
ない
前記技術者が取るべき第１の経路を表示する第１のマップ・ビューを提供することによって
前記開始位置から
前記第１のマップ・ビューと
同時に
エ　ステップ（ｅ）について
　引用発明の「本システムを装着した保守作業員は，ＨＭＤを介して」、「視界内に操作対象バルブが
ある
オ　また、上記ウ、エから、本願発明のステップ（ｅ）−（ｆ）に対応するといえる、引用発明の「本システムを装着した保守作業員は，ＨＭＤを介して、視界内に操作対象バルブが
ない
三角によるバルブ方向の指示
ある
円によるバルブ位置の指示
　したがって、本願発明１と、引用発明との間には、次の一致点、相違点があるといえる。
　
［一致点］
「装置を保守するための方法であって、
　（ａ）携帯型デバイスを技術者に提供するステップであって、前記携帯型デバイスは、ディスプレイとカメラを備え、少なくとも幾つかのコンピュータ生成データと組み合わされた前記カメラのビューの実時間視覚描写を提供する拡張現実ビューを表示するように構成されたステップと、
　（ｄ）前記装置の位置と前記拡張現実ビューに到達するために前記技術者が進むべき方向を表示するビューを提供することによって前記技術者を、装置の位置へと誘導するステップであって、前記拡張現実ビューは前記ディスプレイに、提供されるステップと、
　（ｅ）前記技術者が前記装置の位置に到達し、前記装置を前記カメラのビューの中にあるようにさせた後、前記拡張現実ビュー上の前記コンピュータ生成データとして、前記装置を識別する第１の視覚インジケータを提供するステップと、
　を含み、
　前記ステップ（ｄ）と（ｇ）の両方の間に提供された前記拡張現実ビューは、１つまたは複数のガイド・マーカを前記コンピュータ生成データとして含む、
　方法。」
［相違点１］
　本願発明１は、「装置を
目的地にインストールする
目的地にインストールする
［相違点２］
　本願発明１の方法は、さらに、「（ｂ）前記携帯型デバイスで通知を受信するステップであって、前記通知は前記技術者に未解決の作業命令を通知するものであるステップ」、及び、「（ｃ）前記技術者の開始位置を決定するステップ」を含むのに対して、引用発明の方法は、未解決の作業命令を通知する「ステップ（ｂ）」、及び、技術者の開始位置を決定する「ステップ（ｃ）」を含まない点。
［相違点３］
　本願発明１の方法は、さらに、「（ｄ）前記装置の位置と前記拡張現実ビューに到達するために
前記技術者が取るべき第１の経路を表示する第１のマップ・ビューを提供することによって
前記開始位置から
前記第１のマップ・ビューと
同時に
ない
［相違点４］
　本願発明１では、さらに、「（ｈ）前記技術者が前記目的地に到達し、インストール位置を前記カメラのビューの中にあるようにさせた後、前記拡張現実ビュー上の前記コンピュータ生成データとして、前記インストール位置を識別する第２の視覚インジケータを提供するステップであって、前記第２の視覚インジケータは、前記装置をどの順にインストールすべきかを示すステップ」、及び、「（ｉ）前記装置を前記インストール位置にインストールするステップ」を含むのに対して、引用発明では、どの順にインストールすべきかを示す「ステップ（ｈ）」、及び、インストールする「ステップ（ｉ）」を含まない点。
（２）　相違点についての判断
　事案に鑑みて、上記［相違点３］について先に検討する。
　上記［相違点３］に記載したとおり、引用発明は、「装置の位置」までの「第１の経路を表示する第１のマップ・ビュー」、及び、「目的地」までの「第２の経路を表示する第２のマップ・ビュー」を、（「カメラのビュー」と「コンピュータ生成データ」が組み合わされた）「拡張現実ビュー」と同時に提供するものではない。
　上記［相違点３］に係る本願発明１の構成のうち、特に、「装置の位置」までの「第１の経路を表示する第１のマップ・ビュー」、及び、「目的地」までの「第２の経路を表示する第２のマップ・ビュー」を、拡張現実ビューと同時に提供する構成は、引用文献２−３にも記載されておらず、また、周知技術とも認められない。
　したがって、上記［相違点１］、［相違点２］、［相違点４］について判断するまでもなく、本願発明１は、当業者であっても引用発明、引用文献２−３に記載された技術的事項及び周知技術に基づいて容易に発明できたものであるとはいえない。
２．本願発明２−１１について
　本願発明２−１１は、概略、本願発明１を減縮した発明であって、本願発明１の上記［相違点３］の「第１のマップ・ビュー」、「第２のマップ・ビュー」を、拡張現実ビューと同時に提供する構成と実質的に同一の構成を備えるものである。
　よって、本願発明１と同じ理由により、本願発明２−１１も、当業者であっても、引用発明、引用文献２−３に記載された技術的事項及び周知技術に基づいて容易に発明できたものとはいえない。
第６　原査定について
　本願発明１−１１は「第１のマップ・ビュー」、「第２のマップ・ビュー」を、拡張現実ビューと同時に提供するという事項を有しており、当業者であっても、拒絶査定において引用された引用文献１−２に基づいて、容易に発明できたものとはいえない。したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。